(57)【要約】【課題】従来の卓上用ロール紙切取器は不安定で外観も悪く、ミシン目や置く向きに制約され、トイレ用も紙切板を上げる手間もあって、片手では長短自在に切り取れなかった。【解決手段】好みの割安なロール・ティッシュ（通称トイレットペーパー）を、持ち運べる簡単な構造の多様な卓上の器に、横にも縦にも据えられ、常にティッシュが外側に出ていて、片手で切取部にミシン目を合わせるか、無視して切取部の凹みに入れて、どこでもどの向きからも必要な長さだけ長短自在に切って多用途に使えて、粘着物で壁付用にでき、フックなら引掛用にもでき、トイレの紙巻器も、改良もでき、アダプター式も可能である。また廉価で、一室、一卓、一人に一個は必需品となり、組立式は流通・保管上軽便である。【選択図】図２
2008289838.tif 000002
【特許請求の範囲】
【請求項１】
ロール・ティッシュその他のロール製品を縦に据えて使用することもでき、単純な構造のホルダーで、従来通り、横に据えて使用することもできる切取器。
【請求項２】
取出部と、凹みを設けた切取部との二連構成によるロール・ティッシュその他のロール製品の切取器（「凹み」とは図３以外の各図に例示するような切取部の平面上の切れ込みをいう。以下同じ。）。
【請求項３】
（イ）「紙切板」の下部に確認用の窓を設けるか、その切り取る縁の部分（以下、単に縁という。）に凹みや図形の切れ込み、または膨らみを設けたトイレットの壁付用「紙巻器」、および「紙切板」の縁を傾斜状、凹凸状、曲線状にしたトイレットの壁付用「紙巻器」（以下、「紙巻器」の鉤括弧を省く。）。
（ロ）切取部を設けたトイレットの壁付用紙巻器その他の切取器、および請求項２記載の取出部と切取部を設けたトイレットの壁付用紙巻器その他の切取器。
（ハ）壁付用紙巻器の「紙切板」を取出部とする切取用アダプター。
【発明の詳細な説明】
【技術分野】
【０００１】  本発明は、ホルダーを着脱し、取出部と、凹みを設けた切取部をもって構成するロール製品の切取器、および、「紙切板」の下部に窓、縁に凹み、傾斜、凹凸曲線をつけるか、膨らみを設けた壁付用紙巻器、また「紙切板」を取出部として切取部を設けるか、取出部と切取部を設けた壁付用紙巻器、さらに既設の壁付用紙巻器に付けるアダプターに関する。
【背景技術】
【０００２】  以下、ロール製品の代表例として通称トイレットペーパーを挙げ、ロールティッシュ、またはティッシュと略称して説明する。従来の切取器は、ロール・ティッシュを横にしか据えられないため、場所をとり、不安定で、外観も悪く、組立式もなかった。【０００３】  従来は、卓上用、壁付用、引掛用として、それぞれ相互に転用できる切取器が無かった。【０００４】  従来の卓上用のロール・ティッシュの切取器は、一定の方向からでしか使えず、ミシン目が確かめにくいので切り損ねやすく、またミシン目以外の箇所では切り取りにくかった。【０００５】  従来の切取器は、日常、片手で小さく切って、多用途に使い分けることができなかった。【０００６】  ロール・ティッシュは割安ではあるが、片手で長短自在には切れず、割高のボックス・ティッシュは小さくしにくく、箱は低すぎ、場所をとり、使用後は再利用できなかった。【０００７】  従来の壁付用の紙巻器は「紙切板」の直線状の縁とティッシュのミシン目に制約され、片手ではティッシュを長短自在に切り取ることができず、またアダプターも無かった。
【発明の開示】
【発明が解決しようとする課題】
【０００８】  本発明は、このような従来のティッシュの器が有している問題を、素材も構造も単純で、組立式もある廉価な器により解決しようとするものであり、卓上用はロール・ティッシュを、横にも縦にも据えることができ、それぞれ独自の外観と機能を有し、持ち運びやすく、どこでも、どの方向からもミシン目を合わせやすく、必要に応じてミシン目を無視しても切り損ねずに片手でも必要な長さだけ自在に切り取って、様々に使い分けることができ、つぎに使うときも、ティッシュが取出部の外側に出ているようにし、必要に応じて、いつでも、卓上用、壁付用、引掛用のいずれにも転用できるようにすることを目的とする。【０００９】  さらに本発明は、壁付用紙巻器の「紙切板」の形態を工夫し、また「紙切板」を取出部として、切取部を設けるか、取出部と切取部を設けたり、既設の壁付用紙巻器に、切取用のアダプターをつけて、片手でもティッシュを長短自在に切り取れることを目的とする。
【発明を解決するための手段】
【００１０】  本発明は、上記の目的を達するため、ロール・ティッシュを横にして使う場合は、ホルダーにティッシュを入れて器に収め、図１のように取出部（１）と、凹みを設けた切取部（２）をもって構成する（図３の折りたためるホルダーは組立式の場合のものを示す。）。
【００１１】  ロール・ティッシュを縦にして使う場合は、芯の中筒を抜いたティッシュを縦に収め、図２のように、ティッシュの芯部分の端が、ほぐれない状態のまま引き出す取出部（１）と、凹みを設けた切取部（２）をもって構成する（ホルダーは取り出しておく。）。
【００１２】  取出部（１）は、ティッシュが破れず、かつ、滑らないようにする。
切取部（２）は、図４のように全周的でなく、半周や一部か飛び飛びでもよいようにし、ミシン目の端を切り損ねないよう、直線状か、傾斜状、凹凸状、曲線状など、相応なものにする。またミシン目に関係なく長短自在に切り取れるよう、図４のように、良く切れる凹みを１個か複数個か連続ベタに設ける（図３を除く各図においては、凹みは、概要を１個小さく示してあるが、相応な大きさ・個数・形状・厚さ・材質などとする。）。
【００１３】  器は背面に粘着物を付けて壁に固定する方法もあるが、横棒や紐、鉤などに掛けられるフックを備えつけ、卓上用にも引掛用にも転用できるようにする方法もある。
【００１４】  横専用の器は、安定感が持てるように低くし、また、縦専用の器は、持ち運びやすく、スリムにできるよう、とくに単純に構成し、いずれも多様に造型できるようにする。
【００１５】  製品は半永久的に使用できるようにし、また、利用者は、ＤＩＹ感覚で簡単に組み立てられるようにし、流通や保管上は、軽便なように、折りたたんで包装する方法もある。
【００１６】  図５のような壁付用紙巻器の場合は、ティッシュを片手でも切り取れるように、取出部（１）と切取部（２）を設け、また図６に示す壁付用紙巻器の場合は、「紙切板」（１０）の縁を取出部とし、切取部（２）を設ける。いずれも必要に応じてミシン目に関係なく、挟み込むように入れて、上記と同様に切り取れるよう、切取部（２）に凹みを設ける。
【００１７】  従来の壁付用紙巻器には「紙切板」の縁に工夫を加え、既設の紙巻器には図７のように「紙切板」を取出部として切取部（２）を設けたアダプターの背板（１２）を、紙巻器の後部の隙間に差し込み、上記と同じようにティッシュを片手でも切り取れるようにする。
【発明の効果】
【００１８】  以上のように本発明は、安定した器に取出部と凹みをつけた切取部を設け、ホルダーを出し入れすることによって、好みの割安なロール・ティッシュが横にも縦にも据えられ、取り出しやすく、ミシン目も合わせやすく、あるいはミシン目に関係なく挟み込むように凹みの中に入れて、どこでも、どの方向からも、片手でも、必要な長さだけ、長短自在に切り取れて、様々な用途に多用できて、つぎに使うときも、ティッシュが取出部の外側に出ていて、卓上用、壁付用、引掛用として転用でき、一室一卓一人に一個は必需品となる。
【００１９】  また素材と構造も単純で、持ち運びやすく、廉価で独自の機能を持つ多様な造型ができ、厚紙製でも半永久的に使えて、組立式は、製品の流通や保管上も軽便で、手工も楽しめる。
【００２０】  壁付用紙巻器も、「紙切板」に窓・凹み・図形・傾斜・凹凸・曲線や膨らみを設けたり、切取部を設けたり、切取用のアダプターをつけるだけで、片手でも切り取ることができる。
【発明を実施するための最良の形態】
【００２１】  ロール・ティッシュを横にして使う場合は、図１のようにティッシュを引き出す取出部（１）を設け、ミシン目を合わせてティッシュを下に押して切り取れるように切取部（２）を設け、またミシン目に関係なく、挟み込むように入れて切り取れるよう良く切れる凹みを、切取部（２）に設ける。ティッシュを挿入する中空の回転筒（８）は、組立式の場合においては、図３のように、屈折部が弾性に富む、硬い素材のホルダーの腕（９）に挿入する（組立式でない場合には、ホルダーは、腕（９）を曲げられるようにして「コ」の字型に成型する。）。これを上蓋（３）か側板（４）を開閉して本体の器に着脱する。底蓋（５）は固定するか、一体成型する。横専用器はホルダーなしで回転筒を本体に組み込む。【００２２】  中空の回転筒は、弾力ある素材の筒先の突起（またはくぼみ）を、両方の側板のくぼみ（または突起）に差し込む方法、または、回転筒の筒先を一方の側板に固定して、他方の筒先を側板に弾力で嵌め込む方法や、弾力が無くてもよい回転筒の筒先を、形状に応じて、側板の凹みや曲線状の突起で受ける方法などがある。【００２３】  ロール・ティッシュを縦にして使う場合は、前もってホルダーは抜き出し、ティッシュの芯は親指の先で押し出しておく（糊づけが強くて押し出しにくいときは、芯の口の一部を親指の先でつぶして、芯とティッシュの間に、大きめのはさみを押し込みながら、芯を切り裂いて抜き出しておく。）そのティッシュを縦にして入れ、図２のようにティッシュの芯部分の端が、ほぐれない状態のまま引き出せる取出部（１）を設け、また、ミシン目に関係なく、挟み込むように入れて切り取れる凹みをつけた切取部（２）を設ける（切ったティッシュのほぐれは自然に開く。）。底蓋（５）は固定するか、一体成型する。縦式専用器は、上蓋以外は一体成型して廉価になるようにする。なお縦式専用器の場合、切取部の形状、厚さ、材質などによっては、凹みは必須ではなく、またホルダーも必要ない。【００２４】  外形は、角を隅切りしたものを含む角柱、一部直線状のものを含む曲面柱のほか、球状、台形状、逆台形状、円柱状、バスケット状、ロッジ状、花瓶状、植木鉢状など相応な形に多様に成型し、卓上用・壁付用のいずれも単体型、連結型、複合型など、多様に造型する。【００２５】  取出部は直線状でよいが、ティッシュが破れず、かつ、滑らないよう、紡錘形状、凹状、凸状、多角形状、曲線状、混成状などとする方法もあり、また水平の縁に平行状・斜め状、上下方向に傾斜状など相応な形にする。縦式専用器の場合は、このほか多角形状、曲線状、円形状、混成状など相応な形でよく、たとえば外形が植木鉢状の場合には、円形状や曲線的な多角形状の取出部の周辺を、小さい造花状のものや絵で飾るなどの方法もある。【００２６】  切取部は、器の上部の全周か半周、一部か飛び飛びでもよく、また水平の縁に平行状でよいが、縁に斜め状に、上下方向に傾斜状に、直線状、とげ状、らっぱ状、半紡錘形状、凹状、凹曲線状、凹凸状、凸状、凸曲線状、混成状など相応な形にする方法もある。凹みは図３を除く各図のように、円形状、台形状、逆台形状など相応な大きさ・形状・個数・厚さ・材質などとし、斜めか、図４のように上部を覆い、その周辺を少し湾曲させてティッシュが入りやすいようにし、取出部と同様に、ティッシュが巻き戻されないようにする。【００２７】  取出部と切取部は直線状か、とげ状、凹凸状、らせん状、舌ブラシ状、複線状、混成状を含む、直線・曲線・細粒状、線状、平面状、曲面状の単一または混成状で、水平の縁に平行か、水平方向・上下方向にも傾きをつけた単一または複合状でもよい。縁の断面は、線状でよいが、平面状、斜め状、凹状、凸状、凹凸状など、相応な形にしてもよい。【００２８】  素材は金属、合成樹脂、厚紙状などで、飾りのシールや、側面につける粘着用か差込用または巻付用の薄い筆記具入れ・はさみ入れ・定規入れ・紙片入れなどを用意してもよい。【００２９】  器の上部には、必要に応じて、図１のように、指先で軽く押してあけて、ティッシュをつまみ出せるように、上から差し込む丸屋根状（６）その他の蓋をつける方法もある。【００３０】  冷蔵庫などの什器類を含む既設の壁面などでも使用できるように、器の背面に両面粘着テープやマジック・テープ、磁石テープなどを貼るか、または正面からみて細長い逆Ｕ字形、側面からみて丸みのあるチェック印形のワイヤのフックを備えつけ、図４に示す器の背面の２つの穴（７）に挿し込んで、鉤などに掛ける方法もあり、またフックの上半分を指で曲げ、引掛用として、既設の横棒や紐などに吊り下げる方法もある。卓上用としても、フックに、キーや輪ゴムその他を掛けたりして利用できる。【００３１】  壁付用紙巻器の場合は、「紙切板」の縁か縁近くに、ミシン目が見えて切り取りやすい凹みや図形、社名などを切り抜くか、さらにレンズも付けるか、小さな山型状かＭ型状の膨らみをつけたり、その下部に突起をつけてもよく、「紙切板」、とくにその縁に、厚みや重みをつけたり、取出部と切取部を兼ねた凹みを縁の側面につけたり、縁に傾斜や凹凸、曲線をつけてもよい。また、図５のように、ティッシュを引き出す取出部（１）と切取部（２）を設ける。従来型の壁付用の紙巻器の場合は、図６のように、横軸で回転する上蓋（１０）の縁を直線状か、必要に応じて傾斜状、凹凸状、曲線状などにして、ティッシュが破れず、かつ、滑らないように確実に押さえる取出部として、片手でも切り取れる切取部（２）を設ける。背面は粘着テープ、磁石テープまたはビスなどで壁面などに固定する。【００３２】  図５、図６のいずれの場合も、背面を固定せずに、壁に付けた背板受け具などにフックや磁石テープで付ける方法もあり、必要に応じて引き抜いて、持ち運ぶことも可能にする。【００３３】  図７に示す差込式の場合、アダプターの背板（１２）を、既設の紙巻器の後部の隙間に差し込むか、取り付け、可動式の上蓋（従来の紙巻器の「紙切板」）の縁を取出部とし、腕（１１）の先の切取部（２）で、上記と同様に切り取る。背板、腕、紙切部は、肉厚で硬い素材がよい。また器の上方や側方を、半円形や方形状にするなど、多様に造型したり、背板は平らか窪みをつけ、安定・調整用に弾性体・非弾性体のスペーサーを付けるとよい。【００３４】  従来に近い態様として、図５、図６、図７の切取部の上部を、従来品のようにソフトな曲面状にし、下部で切り取る方法もあり、また切取部の上下で��るようにし、使用しない方には弾力で嵌め込む（櫛用に似た）ケースを使う方法もある。この場合、切取部が上部のケースは曲線状でもよい。また、切取部の後ろ４センチ前後の位置に平行に、側面から見て逆「ハ」の字型状に切取部状の取出部を設け、ティッシュを逆に装着する方法もある。
【図面の簡単な説明】
【００３５】
【図１】  ロール・ティッシュを器に横に入れて切り取る場合の斜視図
【図２】  ロール・ティッシュを器に縦に入れて切り取る場合の斜視図
【図３】  ロール・ティッシュを横に入れる器に収めるホルダー（折畳式）の斜視図
【図４】  良く切れる凹みを覆う切取部を設けた縦専用の器の斜視図
【図５】  従来の壁付用紙巻器に取出部と切取部を設けティッシュを装着した斜視図
【図６】  従来の壁付用紙巻器に切取部を設けてティッシュを装着した斜視図
【図７】  既設の壁付用紙巻器の後部に差し込む切取用のアダプターの斜視図
【符号の説明】
【００３６】  １  取出部
２  切取部
３  上蓋（一部は点線表示）
４  側板
５  底蓋（一部を点線表示）
６  丸屋根状の蓋
７  フックを挿入する穴
８  ホルダーに挿入する回転筒
９  回転筒を挿入する腕
１０  ロール・ティッシュを押さえる可動式の上蓋（従来の紙巻器の「紙切板」）
１１  切取部を支える腕
１２  差し込み用の背板
【図１】
2008289838.tif 000003
【図２】
2008289838.tif 000004
【図３】
2008289838.tif 000005
【図４】
2008289838.tif 000006
【図５】
2008289838.tif 000007
【図６】
2008289838.tif 000008
【図７】
2008289838.tif 000009